(57)【特許請求の範囲】
【請求項１】
とどまつの幼苗を台木とし、その台木のつぎ木部位につぎ穂のとどまつ北林育１号をつぎ木し、活着・生長させることにより、つぎ木部位より先には芯立する幹がなく全部枝として生長して樹形が無幹多枝状となり、樹冠形が半球体に生長したことを特徴とする特異形質とどまつ。
【請求項２】
とどまつの幼苗２年生又は幼苗３年生で、その苗長がほぼ１０〜１５ｃｍ程度に生長した幼苗を台木とし、その台木の高さ８〜１３ｃｍの位置をつぎ木部位として、つぎ穂のとどまつ北林育１号をつぎ木し、活着した当該つぎ木を１年以上生長させることにより、芯立する幹がなく全部枝として生長して樹形が無幹多枝状で、樹冠形が半球体に生長したことを特徴とする芯立する幹がなく樹冠形が半球状に生長する特異形質とどまつ。
【請求項３】
とどまつの幼苗２年生又は幼苗３年生で、苗長がほぼ１０〜１５ｃｍ程度に生長した幼苗を台木として用意し、その台木の高さ８〜１３ｃｍの位置をつぎ木部位として、つぎ穂のとどまつ北林育１号をつぎ木し、活着したつぎ木を生長させるようにしたことを特徴とする芯立する幹がなく樹冠形が半球状に生長する特異形質とどまつのつぎ木増殖法。
【発明の詳細な説明】
【０００１】
【産業上の利用分野】
本発明は、マツ科、モミ属の針葉樹である「とどまつ」の新品種「北林育１号」（種苗法品種登録第４１６９号）が、つぎ木増殖の過程で樹形・樹冠形の生長が異なった苗木に変化して特異形質とどまつになることと、その特異形質とどまつのつぎ木増殖法に関する。
【０００２】
【従来の技術】
針葉樹「とどまつ」は、北海道の主要樹種で、高さ２５〜３０ｍ、直径６０〜１００ｃｍ程度の大木で、主に建築材として利用されている。この「とどまつ」の新品種「北林育１号」は、平成６年１１月２２日、種苗法の品種登録第４１６９号として登録された。当該植物の種類及び登録品種の名称は、「とどまつ北林育１号」と称されるが、その登録品種の植物性の特性の概要は、次の通りと発表されている。
【０００３】
『この品種は、利尻国有林の天然生精英樹の後代家系の中の変異個体であり、単幹状で樹冠形が円錐体の緑化木向きの品種である。
幹の通直性は直、真円性は正円である。樹皮の色は赤灰、厚さは中、き裂紋様は平滑である。枝の太さは中、長さはやや短、岐出角度は中、輪生枝の数は多、二次枝の着生形状は輪生多枝型、着生本数は多、自然落枝性は難である。針葉の長さは中、先端の形は微凹頭、曲がりはやや曲がり、ねじれは無、夏の針葉の色及び冬の針葉の色は暗黄緑、斑の大きさは無、枝の針葉の着生形状は円筒型、着葉密度は中である。冬芽の鱗片数はかなり多である。成長性はやや晩、発根性は極難、耐鼠性はやや強である。
「稚内１０２号」、「古丹別１０４号」、「根室１０１号」と比較して、二次枝の着生形状が輪生多枝であること、二次枝の着生数が多いこと、枝の針葉の着生形状が円筒であること等で区別性が認められる。』
【０００４】
このように、登録品種「とどまつ北林育１号」は、枝の出方が、主幹の形態と同様に多芯性であり、枝の数が多く、しかも小さいため葉量が多くこんもりとした樹形である。このため、当該新品種は、クリスマスツリー、庭木、工場緑化、街路樹などの緑化木としての利用が期待されている。
【０００５】
この新品種「とどまつ北林育１号」は、つぎ木による増殖でのみ生産可能であるが、そのつぎ木法は、「とどまつ」の一般的な方法とされる割接法又は切接法により行われる。従来より北方系樹種のクローン増殖は、主にさし木よりつぎ木による無性繁殖される方が良いとされ、「とどまつ」の苗木の生産は、次のような一般的なつぎ木増殖法が採用されている。図７に示すように当該一般的な「とどまつ」つぎ木増殖法というのは、造林直前の元気のよい実生４年生苗木乃至５年生苗木（苗長３０〜４０ｃｍ）を台木として、その地面から２０〜３５ｃｍの位置をつぎ木部位とし、割接法又は切接法によりつぎ木する方法である。「とどまつ」のつぎ木をする際、幼苗を台木とすると、苗長も発根もまだ充分に発育していないので、著しく活着率や生長率が悪くなるとのデータが発表され広く知られている。そのため、一般に「とどまつ」のつぎ木には、幼苗を台木としては使用しないものとされていた。
【０００６】
【解決すべき技術的課題】
この登録品種「とどまつ北林育１号」の育成者の一人である本発明者は、この登録品種「とどまつ北林育１号」の形質の再現性を確かめるためと、つぎ木による増殖でのみ生産可能であるこの登録品種の普及を図るために、個体の試しつぎ木増殖を長年にわたって繰り返しているうちに、実生２年生乃至３年生の幼苗を台木とした場合には、単に著しく生長率が悪くなるというだけでなく、親木の形態とは全く異なった特異の樹形や樹冠形に生長する性質のあることに気がついた。
【０００７】
つまり、この登録品種「とどまつ北林育１号」の育成者でもある本発明者は、この新登録品種が、つぎ木による増殖でのみ生産されることから、普及させるためにもこの新登録品種の最適なつぎ木増殖法を見出すためと、この登録品種「とどまつ北林育１号」の形質の再現性を確かめるために、様々な条件での試しつぎ木法を長年にわたり試験研究してきた。その結果、発明者は、「とどまつ北林育１号」のつぎ木増殖法として好適なのは、前記の通り元気の良い４年生苗木または５年生苗木を台木とし、前年生長した幹の部分をつぎ木部位として、「とどまつ北林育１号」のつぎ穂を割接法により、同じ条件で毎年５月５日〜５月１５日の期間内につぎ木する。すると、つぎ木１年生長した部分に幹になる芯立が現れる。そこでつぎ穂の丈長生長促進のため台木の枝を選定すると順調に親木と同じような樹形に生長していくことが解った。このような「とどまつ北林育１号」のつぎ木法は、従来の一般的な「とどまつ」のつぎ木増殖法と同じである。
【０００８】
同時に、本発明者は、登録品種「とどまつ北林育１号」の形質の再現性を確かめるために、小さな苗木（幼苗）を台木とするつぎ木法の試験を行っていた。発明者が、このような一般には行われない幼苗を台木とするつぎ木法を試みたのは、台木の影響が少なくなるかもしれないと考えからである。しかるに幼苗を台木とするつぎ木法により生産した「とどまつ北林育１号」は、樹形が苗木に芯立の無い無幹多枝状で、樹冠形が盆栽型の半球状になってしまった。発明者は、当初、このように特異な樹形や樹冠形に形態変化するのは偶然であり、形質の再現性はないと考えていたが、昭和５８年以来繰り返し同じように幼苗を台木とするつぎ木法で「とどまつ北林育１号」の試しつぎ木増殖を行って、その形態変化の再現性について調査をした。その結果、繰り返し試しつぎ木増殖試験のたびに、同じように特異な樹形や樹冠形に形態変化して生長することが解った。
【０００９】
思うに、本来、台木の影響を少なくする考えで実施したのであったが、実際は逆に台木の影響により形態変化が生じたものと考えられる。すなわち、充分に発育していない幼苗を用いて、その低い部位でつぎ木すると、「とどまつ北林育１号」のもつ多枝性の遺伝子が強く発現し、芯立の遺伝子作用が抑えられて、幹が無く芯立のしない半球状の樹冠形になるという特異な形質になる性質があると思われる。
本発明は、この新しく見出した技術的知見に基づいて、本発明に係る芯立する幹がなく樹冠形が半球状に生長する特異形質とどまつと、当該特異形質とどまつのつぎ木増殖法を開発したものである。
【００１０】
【課題を解決するための手段】
特許を受けようとする第１発明は、とどまつの幼苗を台木とし、その台木のつぎ木部位につぎ穂のとどまつ北林育１号をつぎ木し、活着・生長させることにより、つぎ木部位より先には芯立する幹がなく全部枝として生長し樹形が無幹多枝状となり、樹冠形が半球体に生長したことを特徴とする特異形質とどまつである。
【００１１】
特許を受けようとする第２発明は、とどまつの幼苗２年生又は幼苗３年生で、その苗長がほぼ１０〜１５ｃｍ程度に生長した幼苗を台木とし、その台木の高さ８〜１３ｃｍの位置をつぎ木部位として、つぎ穂のとどまつ北林育１号をつぎ木し、活着した当該つぎ木を１年以上生長させることにより、芯立する幹がなく全部枝として生長して樹形が無幹多枝状で、樹冠形が半球体に生長したことを特徴とする芯立する幹がなく樹冠形が半球状に生長する特異形質とどまつである。
【００１２】
第１発明、第２発明に係る特異形質とどまつの重要な形質特性は、樹形が芯立する幹がない無幹多枝状で、樹冠形が半球体に生長する特異形質とどまつである。これに対し、親木となる「とどまつ北林育１号」の形質特性は、樹形が単幹状で、樹冠形が円錐体である。このように本発明に係る特異形質とどまつと登録品種「とどまつ北林育１号」とは、植物体の基本的な形質特性において大きく相違する。昭和５８年以来繰り返し同じ条件で幼苗を台木とし、つぎ穂を「とどまつ北林育１号」とするつぎ木法で試験生産増殖を行ってきた。その結果、登録品種「とどまつ北林育１号」を育成したときと同様に、本発明に係る「特異形質とどまつ」独特の形質特性を必ず発現するという形態変化の再現性について確認した。その意味では、本発明にかかる特異形質とどまつも、登録品種「とどまつ北林育１号」と同様に新品種といえるものである。
【００１３】
当該特異形質とどまつは、その樹形や樹冠形が独特であるというだけでなく、親木の「とどまつ北林育１号」と同様に、耐寒性があり、多枝性、多葉性を有しているので、ベランダ用の鉢植えにした緑化木、公園木、道路分離帯、道路緑化木桝用に好適である。また、苗木が小さい期間は緑化鑑賞用植物としての利用が期待できる。
【００１４】
特許を受けようとする第３発明は、とどまつの幼苗２年生又は幼苗３年生で、苗長がほぼ１０〜１５ｃｍ程度に生長した幼苗を台木として用意し、その台木の高さ８〜１３ｃｍの位置をつぎ木部位として、つぎ穂のとどまつ北林育１号をつぎ木し、活着したつぎ木を生長させるようにしたことを特徴とする芯立する幹がなく樹冠形が半球状に生長する特異形質とどまつのつぎ木増殖法である。
【００１５】
当該第３発明は、第１発明に係る特異形質とどまつを生産増殖するためのつぎ木増殖法である。とどまつの幼苗２年生又は幼苗３年生で、苗長がほぼ１０〜１５ｃｍ程度に伸びた苗木を台木として用いる点が第１の特徴である。幼苗１年生は、その苗木の幹が小さすぎて、つぎ木をしても活着させることが困難であるし、幼苗４年生を用いると、芯立がする幹が現れて必ずしも特異形質とどまつを再現させることが出来ない。第２の特徴は、その台木は、２年生乃至３年生の幼苗を使用し、高さ８〜１３ｃｍの位置をつぎ木部位としてつぎ木した点である。高さが１４ｃｍ以上の位置をつぎ木部位とすると、つぎ木後５年から１０年後位に芯立する幹が現れる場合がある。つぎ木の具体的な方法は、とどまつのつぎ木法として一般的な割接法又は切接法であれば良い。つぎ木後の養苗期間は、一応つぎ木当年を含めて４年であるが、特異形質とどまつの重要な形質特性である『芯立する幹がなく樹冠形が完成度の高い半球体』が完全に出来上がるまで生長するにはつぎ木５年生長程かかる。上記条件でつぎ木増殖法を行えば、確実に特異形質とどまつの生産が可能である。
【００１６】
【実施例】
以下、本願発明を図示実施例に基づいて詳細に説明する。
【００１７】
図１は、第１発明、第２発明に係る特異形質とどまつを示す斜視図で、図２は、第１発明、第２発明に係る特異形質とどまつの樹形と樹冠形の構造的特徴を略式構成図として示した形質説明図であり、図３は、本発明の親木であるとどまつ北林育１号の正面図で、図４は、親木であるとどまつ北林育１号の樹形と樹冠形の構造的特徴を略式構成図として示した形質説明図である。尚、図５は、通常のとどまつを示す正面図である。また、図６は、本発明に係る特異形質とどまつのつぎ木増殖法を実施して、特異形質とどまつが生長するにしたがって次第に特異な樹形と樹冠形が出来ていく過程を略式構成図として示した形質説明図であり、図７は、比較例として、「とどまつ北林育１号」のつぎ木増殖法により、とどまつ北林育１号が生長するにしたがって次第に本来の形質特性を発現した樹形と樹冠形が出来ていく過程を略式構成図として示した形質説明図である。
【００１８】
図１に示したものは、芯立する幹がなく樹冠形が半球体状に生長している特異形質とどまつ１の正面図である。これは本来の一般的なとどまつ２（図５）や近年新品種として種苗法に登録されたとどまつ北林育１号３（図３）の樹木形態とは、大きく変化した姿形になっている。図２は、特異形質とどまつ１の枝振りとその樹形を構造的特徴を略式構成図として説明したものである。外観からは同属の植物体とどまつの一種とは思えない珍しい樹形・樹冠形の形態をしたものである。
【００１９】
このように珍しい形態の「特異形質とどまつ」１を生産するのは、次のような方法による。先ず、本発明の実施例として苗畑で養成した元気の良いとどまつの幼苗２年生でその苗長が１０ｃｍ程度に生長したものと、苗畑で養成した元気の良いとどまつの幼苗３年生でその苗長がほぼ１３〜１５ｃｍ程度に生長した幼苗４を台木として夫々数十本づつ用意した。その幼苗４台木の地面から高さ８〜１３ｃｍの位置（前年生長した部分）をつぎ木部位５として切断し、その台木の切断面の中心を割った。一方「とどまつ北林育１号」のつぎ穂を台木の数だけ用意し、その下端部を楔形に切削加工したうえ、先に用意していた台木の割溝部に挿入し、その接合部を巻きしめする試しつぎ木（割接法）を実行した。このつぎ木法は、台木が幼苗であるため熟練者でなければ、うまく実行できない方法である。このような方法で試しつぎ木したものが活着するのは５０〜７０％であった。その活着したつぎ木を１年以上生長させることにより、樹形は芯立する幹がなく、全部枝として生長して無幹多枝状に生長することを確認した。しかも多枝の着生形状は、輪生多枝型に生長するので、樹冠形は生長するに従って半球体を形成する。
【００２０】
このように幼苗台木の低い位置をつぎ木部位としてつぎ木して生産する特異形質とどまつ１は、つぎ木１年生長の段階では、芯立する幹が出来ず、複数の多枝が放射状に伸び始める。次に、つぎ木３年生長の段階では、芯立する幹が無く、伸長した多枝がほぼ半球体に近い形態が発現する。更に、これをつぎ木５年以上に生長すると図１、図２に示すように、樹形が無幹多枝状で樹冠形が完成度の高い半球体に生長する。当該特異形質とどまつ１が生長するにしたがって次第に特異な樹形と樹冠形が出来ていく過程を略式構成図として示した形質説明図が図６である。尚、図1に示した特異形質とどまつ１は、形質特性が明確に発現されたつぎ木１０年生長の実施例である。
【００２１】
尚、試しつぎ木をした試験区のうちで活着したものは、例外なく樹形が芯立する幹がない無幹多枝状となり、樹冠形が半球状に生長した。発明者は、このような試しつぎ木による特異形質とどまつ１の試験増殖生産を、昭和５８年より繰り返し続けたが、常に同じように樹形が芯立する幹がない無幹多枝状で、樹冠形が半球状になるという独特の質特性をもった「特異形質とどまつ」１を再現できることを確認した。従って、当該形質特性の再現性は充分にあるといえる。
【００２２】
これに対し図７は、比較例としての一般的なつぎ木増殖法により、とどまつ北林育１号３をつぎ木して生長するにしたがって次第にとどまつ北林育１号３独特の形質特性が形成されていく過程を示すものである。それはまず、苗長が３０〜４０ｃｍに生長した元気の良い４年生苗木または５年生苗木６を台木として用意する。前年生長した苗木６の２０〜３０ｃｍの位置をつぎ木部位５として加工する。一方、つぎ穂としてとどまつ北林育１号を用意し、当該つぎ穂を割接法で５月初旬〜中旬にかけてつぎ木する。こうしてつぎ木したとどまつ北林育１号３が、つぎ木１年生長すると、その１年生長した部分には幹となる芯立が現れる。そこでつぎ穂の丈長生長促進のため、台木の部分の枝を剪定する。これがつぎ木３年生長になると、芯立した幹にとどまつ北林育１号の品種の特性である多枝性が現れ、一般的なとどまつに比較して枝数が多くこんもりとなる。更に、つぎ木５年生長になると、とどまつ北林育１号の特性である多枝性がより顕著に発現し、一般的なとどまつの樹形とは明確に差異のある多枝・多緑形態の植物体となる。すなわちとどまつ北林育１号３は、図３、図４に示すようにその重要な形質特性である樹形が単幹状で、樹冠形が円錐体に生長したものになるのである。これは、普通のとどまつ２の形質特性とも、特異形質ととどまつ１の形質特性とも大きく相違している。
【００２３】
【効果】
叙上のように、前記「特異形質とどまつ」と「とどまつ北林育１号」とを比較すると、両者はその植物体としての重要な形質特性である樹形や樹冠形が大きく相違する。「特異形質とどまつ」のように樹形が芯立する幹がない無幹多枝状で、樹冠形が半球体に生長する形態の「とどまつ」というのは従来存在しない珍品種である。
しかし、両者ともつぎ木によって生産、増殖が可能となるが、その親木が「とどまつ北林育１号」である点も、そのつぎ木用台木が「とどまつ」である点も、共通している。しかるに、前者の場合の台木を実生２〜３年生の幼苗にし、後者の場合に台木を実生４〜５年生の苗木にしたことと、それらのつぎ木部位を前者の場合に２０〜３５ｃｍと高い位置にし、後者の場合に８〜１３ｃｍと低い位置にしてつぎ木をしただけで、生長したときの両者の樹形と樹冠形は、全く別異なものになってしまうのである。そして、つぎ木後の生長年数が増えれば増えるほど、両者の重要な形質にかかる樹形と樹冠形の差異がはっきりと発現してくる。しかも、その形質特性は、前記の通り幼苗・低位置つぎ木部位にしたつぎ木増殖法を実施する限り、特異形質ととどまつの形質特性の再現性もある。
【００２４】
また本発明に係る特異形質とどまつは、芯立する幹がなく樹冠形が半球体に生長するとい珍しい形質特性をもっているうえ、親木の「とどまつ北林育１号」と同様に耐寒性があり、多枝性、多葉性を有しているので、ベランダ用の鉢植えにした緑化木、公園木、道路分離帯、道路緑化木桝用に好適である。しかも、当該特異形質とどまつの苗木が小さい期間は、緑化鑑賞用植物としての利用も期待できるので、実用性の高いものになる。
【図面の簡単な説明】
【図１】  第１発明、第２発明に係る特異形質とどまつを示す正面図である。
【図２】  第１発明、第２発明に係る特異形質とどまつの樹形と樹冠形の構造的特徴を略式構成図として示した形質説明図である。
【図３】  本発明の親木であるとどまつ北林育１号の正面図である。
【図４】  とどまつ北林育１号の樹形と樹冠形の構造的特徴を略式構成図として示した形質説明図である。
【図５】  通常のとどまつを示す正面図である。
【図６】  本発明に係る特異形質とどまつのつぎ木増殖法を実施して、特異形質とどまつが生長するにしたがって次第に特異な樹形と樹冠形が出来ていく過程を略式構成図として示した形質説明図である。
【図７】  比較例として、とどまつ北林育１号のつぎ木増殖法により、とどまつ北林育１号が生長するにしたがって次第に特異な樹形と樹冠形が出来ていく過程を略式構成図として示した形質説明図である。
【符号の説明】
１…特異形質とどまつ
２…とどまつ
３…とどまつ北林育１号
４…幼苗
５…つぎ木部位
６…苗木
【図１】
0003783129.tif 000002
【図２】
0003783129.tif 000003
【図３】
0003783129.tif 000004
【図４】
0003783129.tif 000005
【図５】
0003783129.tif 000006
【図６】
0003783129.tif 000007
【図７】
0003783129.tif 000008